(57)【要約】  本発明は、マルチメディア・ソースとマルチメディア・シンクを動作モードからスタンバイ・モードへ切り替える方法、及びマルチメディア・ソースとマルチメディア・シンクをスタンバイ・モードから動作モードへ切り替える方法に関する。コンシューマ装置が２つの分散したボックス、例えばディスプレイ（マルチメディア・シンク）が処理部（マルチメディア・ソース）からケーブルを介して分離しているＴＶを有するとき、スタンバイ・モードのグリーン・ルールを満たすことは、一層複雑である。処理ユニット及びディスプレイ・ユニットの電力消費は、スタンバイ・モードでは最小限であるべきである。本発明の方法は、両ユニットの電力状態を同期させ、関連部分のみがアクティブのままにされるようにする。方法は、セットトップボックスのようなマルチメディア・ソースとディスプレイのようなマルチメディア・シンクとの間ＤｉｓｐｌａｙＰｏｒｔリンクが用いられる較正に適用可能である。本発明は、ＤｉｓｐｌａｙＰｏｒｔ構成及び動作規格に準拠しながら全体の電力消費を低減する。本発明の実施形態では、ソース及びシンクは、補助チャネルの送信器及び受信器が電源を切られたときに、スタンバイ及び起動要求／コマンドの通信を可能にするよう構成される。本発明は、ソースのスタンバイへの切り替え及びソースのスタンバイからの切り替えが該ソースとのユーザの相互作用により開始される実施形態も提供する。これは、ソースが屡々見えなくなるので、便利である。また、これは、ユーザがソースのモードを監視及び制御する必要がなくなるので、つまりユーザは主に見えているシンクのモードを単に監視及び制御できるので、電力消費の低減の向上に貢献する。
2011521600.tif 000002
【特許請求の範囲】
【請求項１】
マルチメディア・ソース及びマルチメディア・シンクを動作モードからスタンバイ・モードへ切り替える方法であって：
−前記マルチメディア・ソースは、送信器及び該記送信器に接続されたソース予備制御部を有し；
−前記マルチメディア・シンクは、起動要求生成器、受信器及び該受信器と該起動要求生成器に接続されたシンク予備制御部を有し；
−前記送信器及び前記受信器は、前記動作モードのとき、双方向通信のための第１のチャネルを介して接続され；
−前記ソース予備制御部及び前記起動要求生成器は、スタンバイ・モードのとき、前記ソース予備制御部により起動要求を検出するための第２のチャネルを介して接続され；
当該方法は：
スタンバイ・モードに入る要求の検出に応答して、前記ソース予備制御部が：
−前記第１のチャネルにスタンバイ・コマンドを生成する段階；
−前記送信器を前記スタンバイ・モードに切り替えることにより、前記双方向通信の前記ソース側を無効にする段階；及び
−前記第２のチャネルを介して、前記ソース予備制御部による前記起動要求の監視を有効にする段階；
前記スタンバイ・コマンドの検出に応答して、前記シンク予備制御部が：
−前記受信器を前記スタンバイ・モードに切り替えることにより、前記双方向通信の前記シンク側を無効にする段階；及び
−前記第２のチャネルを介して、前記起動要求生成器による前記起動要求の生成を有効にする段階；
を有する方法。
【請求項２】
−前記送信器及び受信器は、前記動作モードのとき、前記ソースによる前記シンクの活線挿抜の検出のための前記第２のチャネルを介して接続され；
当該方法は：
−スタンバイ・モードに入る要求の検出に応答して、前記ソース予備制御部が、前記送信器を前記スタンバイ・モードに切り替えることにより、前記活線挿抜の検出を無効にする段階；
を更に有する請求項１に記載の方法。
【請求項３】
前記ソース予備制御部は及びシンク予備制御部は、前記ソースから前記シンクへの前記スタンバイ・コマンドの通信のために、前記第１のチャネルを介して直接的に接続される、
ことを特徴とする請求項１又は２に記載の方法。
【請求項４】
−前記第１のチャネルは、ＡＣ結合された差動対として構成された第１及び第２の線を有し、
−前記ソース予備制御部は、前記第１の線のＤＣレベルを変化させることにより、前記スタンバイ・コマンドを生成するよう構成され、
−前記シンク予備制御部は、前記第１の線の前記ＤＣレベルの変化を前記スタンバイ・コマンドとして検出するよう構成される、
ことを特徴とする請求項３に記載の方法。
【請求項５】
前記第２のチャネルは、如何なる起動要求も前記起動要求生成器により生成されないとき、前記スタンバイ・モードでロー論理状態を伝達するように構成され、及び
前記起動要求生成器は、前記第２のチャネルを介してハイ論理状態をアサートすることにより、前記スタンバイ・モードで前記起動要求を生成するように構成される、
ことを特徴とする請求項１又は２に記載の方法。
【請求項６】
−前記マルチメディア・シンクと前記マルチメディア・ソースとの間の接続は、電源線を更に有し；
−前記ルチメディア・ソースは、前記スタンバイ・モードで前記ソース予備制御部に電力を供給し及び前記電源線を介して電力を供給するよう構成された電源を更に有し；
−前記マルチメディア・シンクは、前記スタンバイ・モードで前記電源線から前記起動要求生成器へ及び前記シンク予備制御部へ電力を供給するよう構成される；
ことを特徴とする請求項１又は２に記載の方法。
【請求項７】
前記マルチメディア・シンクは、電源スイッチを有し、
前記マルチメディア・シンクは、該電源スイッチがオフにされたとき、スタンバイ・モードに入る要求を生成するよう構成される、
ことを特徴とする請求項１又は２に記載の方法。
【請求項８】
前記起動要求生成器は、ユーザ活動検出器を有し、
前記起動要求の生成を有効にする段階は、該ユーザ活動検出器の出力を前記第２のチャネルに結合する段階を有する、
ことを特徴とする請求項１又は２に記載の方法。
【請求項９】
マルチメディア・ソース及びマルチメディア・シンクをスタンバイ・モードから動作モードへ切り替える方法であって：
−前記マルチメディア・ソースは、送信器及び該記送信器に接続されたソース予備制御部を有し；
−前記マルチメディア・シンクは、起動要求生成器、受信器及び該受信器と該起動要求生成器に接続されたシンク予備制御部を有し；
−前記送信器及び前記受信器は、前記動作モードのとき、双方向通信のための第１のチャネルを介して接続され；
−前記ソース予備制御部及び前記起動要求生成器は、前記スタンバイ・モードのとき、前記ソース予備制御部により起動要求を検出するための第２のチャネルを介して接続され；
当該方法は：
−起動要求の検出に応答して、前記ソース予備制御部が：
−前記送信器を前記動作モードに切り替えることにより、前記双方向通信のソース側を有効にする段階；
−前記第２のチャネルを介した前記ソース予備制御部による前記起動要求の検出を無効にする段階；
−前記起動要求の検出に応答して、前記シンク予備制御部が：
−前記受信器を前記動作モードに切り替えることにより、前記双方向通信のシンク側を有効にする段階；
−前記起動要求生成器による前記起動要求の生成を無効にする段階；
を有する方法。
【請求項１０】
−前記送信器及び受信器は、前記動作モードのとき、前記ソースによる前記シンクの活線挿抜の検出のための前記第２のチャネルを介して接続され；
当該方法は：
−起動要求の検出に応答して、前記ソース予備制御部が、前記受信器を前記動作モードに切り替えることにより、前記活線挿抜の検出を有効にする段階；
を更に有する請求項９に記載の方法。
【請求項１１】
−前記ソース予備制御部は及びシンク予備制御部は、前記ソースから前記シンクへの前記起動コマンドの通信のために、前記第１のチャネルを介して直接的に接続され；
−前記シンク予備制御部は、前記起動要求の代わりに前記起動コマンドの検出に応答して動作し；
−前記起動要求の検出に応答して、前記ソース予備制御部は、前記第１のチャネルに起動コマンドを生成する；
ことを特徴とする請求項９又は１０に記載の方法。
【請求項１２】
−前記第１のチャネルは、ＡＣ結合された差動対として構成された第１及び第２の線を有し、
−前記ソース予備制御部は、前記第１の線のＤＣレベルを変化させることにより、前記起動コマンドを生成するよう構成され、
−前記シンク予備制御部は、前記第１の線の前記ＤＣレベルの変化を前記起動コマンドとして検出するよう構成される、
ことを特徴とする請求項１１に記載の方法。
【請求項１３】
前記マルチメディア・シンクは、電源スイッチを更に有し、
前記起動要求生成器は、該電源スイッチがオンにされたとき、前記起動要求を生成するよう構成される、
ことを特徴とする請求項９又は１０に記載の方法。
【請求項１４】
前記起動要求生成器は、ユーザ活動検出器を有し、
前記起動要求の生成を無効にする段階は、該ユーザ活動検出器の出力を前記第２のチャネルに結合する段階を有する、
ことを特徴とする請求項８又は９に記載の方法。
【請求項１５】
前記ユーザ活動検出器は、遠隔制御検出器と電源スイッチ活動検出器とを有し、
当該方法は：
−前記起動要求生成器を、前記マルチメディア・シンクが遠隔制御検出器の活動を検出したとき、第１の起動要求を生成するよう構成する段階；
−前記起動要求生成器を、前記マルチメディア・シンクが電源スイッチの活動を検出したとき、第２の起動要求を生成するよう構成する段階；
−前記予備制御部を、前記第１及び第２の起動要求を区別するように構成する段階；
を有する請求項１４に記載の方法。
【請求項１６】
マルチメディア・ソースであって：
−送信器と、該送信器に接続されたソース予備制御部と、
を有し；
−前記送信器は、動作モードのときのマルチメディア・シンクとの双方向通信のための第１のチャネルとのインタフェースを有し；
前記ソース予備制御部は、スタンバイ・モードのときの前記マルチメディア・シンクによる起動要求の検出のための第２のチャネルとのインタフェースを有し；
−前記ソース予備制御部は：
−前記動作モードのときにスタンバイ・モードに入る要求を検出し、
−前記動作モードのときに前記第１のチャネルにスタンバイ・コマンドを生成し、
−前記送信器を前記スタンバイ・モードに切り替えることにより、前記双方向通信のソース側を無効にし、
−スタンバイ・モードのときに前記第２のチャネルを介した前記起動要求の監視を有効にする、
よう構成される、
ことを特徴とするマルチメディア・ソース。
【請求項１７】
マルチメディア・シンクであって：
−起動要求生成器と、受信器と、該受信器及び該起動要求生成器に接続されたシンク予備制御部と、
を有し；
−前記受信器は、動作モードのときマルチメディア・ソースと双方向通信するための第１のチャネルとのインタフェースを有し；
−前記起動要求生成器は、スタンバイ・モードのとき前記マルチメディア・ソースへ起動要求を送信するための第２のチャネルとのインタフェースを有し；
−前記シンク予備制御部は：
−前記動作モードのときに前記第１のチャネルを介してスタンバイ・コマンドを検出し、
−前記動作モードのときに前記受信器を前記スタンバイ・モードに切り替えることにより、前記双方向通信のシンク側を無効にし、
−スタンバイ・モードのときに前記第２のチャネルを介して前記起動要求生成器による前記起動要求の生成を有効にする、
よう構成される、
ことを特徴とするマルチメディア・シンク。
【発明の詳細な説明】
【技術分野】
【０００１】
本発明は、マルチメディア・ソースとマルチメディア・シンクを動作モードからスタンバイ・モードへ切り替える方法、及びマルチメディア・ソースとマルチメディア・シンクをスタンバイ・モードから動作モードへ切り替える方法、マルチメディア・ソース及びマルチメディア・シンクに関する。
【背景技術】
【０００２】
多くのマルチメディア・システムは、ＰＣ又はモニタの内のインタフェースのような内部接続及び外部ディスプレイ接続の両方で用いられるオープンなデジタル通信インタフェースを規定するＤｉｓｐｌａｙＰｏｒｔを用いて接続される。このような外部接続は、ＰＣ、セットトップボックス、ＤＶＤプレイヤ、Ａ／Ｖ受信器のような如何なる互換性のあるデジタル・オーディオ／ビデオ・ソースと、コンピュータのモニタ又はデジタル・テレビジョン（ＤＴＶ）のような互換性のあるデジタル・オーディオ及び／又はビデオ・シンクとの間の、ケーブルのような互換性のあるリンクを介した接続を含んでもよい。
【０００３】
ＤｉｓｐｌａｙＰｏｒｔは、ＰＣ及びＣＥ産業においてデジタル・ディスプレイ技術の増大する広範な適用に対応するためにＶｉｄｅｏ  Ｅｌｅｃｔｒｏｎｉｃｓ  Ｓｔａｎｄａｒｄｓ  Ａｓｓｏｃｉａｔｉｏｎ（ＶＥＳＡ）により策定された工業規格である。ＤｉｓｐｌａｙＰｏｒｔは、内部及び外部接続方法を統合し、装置の複雑性を低減し、産業間に渡る主要な用途のために必要な特徴に対応し、性能の拡張性を提供して、次世代のディスプレイの色の深み、リフレッシュ速度、及びディスプレイ解像度の特徴を可能にする。この規格の更なる詳細は、ＶＥＳＡから入手できる（ＶＥＳＡのウェブ・サイトｗｗｗ．ｖｅｓａ．ｏｒｇを参照のこと）。
【０００４】
図１は、マルチメディア・ソース（１００）とマルチメディア・シンク（２００）との間のＤｉｓｐｌａｙＰｏｒｔを用いたインタフェースの例を示す。このインタフェースは、単方向、広帯域幅且つ低遅延チャネルであり、非圧縮ビデオ及び音声のような等時性データ・ストリームを伝送するために用いられる主要リンク（３１０）を有する。この主要リンク（３１０）を介した通信は、ソース（１００）に含まれる送信器（１１０）及びシンク（２００）に含まれる受信器（２１０）により実行される。図１のインタフェースは、リンク管理及び装置（２００）制御に用いられる半二重双方向チャネルである補助チャネル（３２０）を有する。この補助チャネル（３２０）を介した通信も、送信器（１１０）及び受信器（２１０）により実行される。送信器（１１０）及び受信器（２１０）の両者は、受信及び送信するよう構成される。図１のインタフェースは、シンク（２００）にソース（１００）へのＩＲＱ（ｉｎｔｅｒｒｕｐｔ  ｒｅｑｕｅｓｔ（割り込み要求））を発行させ、ホットプラグ（活線挿抜）の事象のＨＰＤパルスを検出させるために用いられるＨＰＤ（Ｈｏｔ  Ｐｌｕｇ  Ｄｅｔｅｃｔ）信号線を有する。ＨＰＤ線は、送信器（１１０）及び受信器（２１０）に接続される。図１のインタフェースは、外部接続のためのＤｉｓｐｌａｙＰｏｒｔコネクタを有する。図１のインタフェースは、電源線（３４０）も有する。電源線は、ＤｉｓｐｌａｙＰｏｒｔ中継器又はＤｉｓｐｌａｙＰｏｒｔから従来の（レガシー）コンバータへの電力供給のためのものである。
【０００５】
コンシューマ装置により使用されるエネルギを低減するという要件は、一般的にスタンバイ・モードを設けることにより満たされる。特定の期間内に如何なる活動も検出されない場合に、又は特定のコマンドが与えられた場合に、コンシューマ装置はスタンバイ・モード又は省電力モードに切り替えられ、不可欠な構成要素のみが電力を供給されたままになる。標準的に、コンシューマ装置は、活動の最下位及び／又は特定のコマンドを検出し、装置の構成要素をスタンバイ・モードから動作モードに戻すように構成される。コンシューマ装置が２つの分散したボックス、例えばディスプレイ（マルチメディア・シンク）が処理部（マルチメディア・ソース）から１又は複数の通信チャネルを介して分離しているＴＶを有するとき、スタンバイ・モードのグリーン・ルールを満たすことは、一層複雑である。処理装置及びディスプレイ装置の電力消費は、スタンバイ・モードで最小であるべきである。しかし、標準的に、スタンバイ・モードは各構成要素で個別に準備される。標準的に、マルチメディア・ソース及びシンクは、異なる場所で、ケーブルを介して接続される。例えばソースは視界から隠されたビデオ・レコーダであってよく、シンクはユーザによく見えるディスプレイであってもよい。従って、ユーザは、ソースの動作モードを常に決定することができない。
【発明の概要】
【発明が解決しようとする課題】
【０００６】
本発明の目的は、マルチメディア・ソースとマルチメディア・シンクをスタンバイ・モードへ切り替える方法、及びマルチメディア・ソースとマルチメディア・シンクをスタンバイ・モードから切り替える方法を提供することである。
【課題を解決するための手段】
【０００７】
本発明の第１の態様によると、上記目的は、マルチメディア・ソース及びマルチメディア・シンクを動作モードからスタンバイ・モードへ切り替える方法により達成される。前記マルチメディア・ソースは、送信器及び該記送信器に接続されたソース予備制御部を有し；前記マルチメディア・シンクは、起動要求生成器、受信器及び該受信器と該起動要求生成器に接続されたシンク予備制御部を有し；前記送信器及び前記受信器は、前記動作モードのとき、双方向通信のための第１のチャネルを介して接続され；前記ソース予備制御部及び前記起動要求生成器は、スタンバイ・モードのとき、前記ソース予備制御部により起動要求を検出するための第２のチャネルを介して接続される。当該方法は：スタンバイ・モードに入る要求の検出に応答して、前記ソース予備制御部が：−前記第１のチャネルにスタンバイ・コマンドを生成する段階；−前記送信器を前記スタンバイ・モードに切り替えることにより、前記双方向通信の前記ソース側を無効にする段階；及び−前記第２のチャネルを介して、前記ソース予備制御部による前記起動要求の監視を有効にする段階；−前記スタンバイ・コマンドの検出に応答して、前記シンク予備制御部が：−前記受信器を前記スタンバイ・モードに切り替えることにより、前記双方向通信の前記シンク側を無効にする段階；及び−前記第２のチャネルを介して、前記起動要求生成器による前記起動要求の生成を有効にする段階；を有する。
【０００８】
ソースは、予備制御部を用いてスタンバイ・モードへの切り替えを制御し、ソースとシンクの両方で同時に電力が節約されるようにする。つまり、ソース及びシンクのスタンバイ期間はかなりの程度まで同期している。ソース予備制御部は、ソースの構成要素、特に送信器をスタンバイ・モードに直接的に切り替え、スタンバイ・コマンドを生成してシンクにスタンバイ・モードに入るよう指示する。指示を受信すると、シンク予備制御部は、シンクの構成要素、特に受信器をスタンバイ・モードに切り替える。
【０００９】
更に、本発明の方法は、シンクによりシステムをスタンバイ・モードから切り替えさせるという柔軟性を残していながら、送信器及び受信器モジュールをスタンバイ・モードに切り替えるので、電力消費が更に低減されうる。送信器及び受信器モジュールは、通常動作中に第１のチャネルを介した双方向通信のために用いられる。リモコンからのコマンドのような要求は、ソースとシンクの間を第１のチャネルを介して渡る。知られているシステムでは、送信器及び受信器は、シンクにより開始される起動を可能にするためにスタンバイ・モード中でさえ常に電力を供給されなければならない。何故なら、知られているシステムのシンクは、第１のチャネルを用いてソースに受信された要求を知らせるからである。
【００１０】
第１のチャネルは、先ず、スタンバイ・コマンドをシンクへ送信するために用いられてよい。その後、送信器及び受信器をスタンバイ・モードに設定することは、第１のチャネルを介した双方向通信を無効にするという効果がある。
【００１１】
シンクは、起動要求生成器を有し、システムを起動する最も便利な方法を提供する。何故なら、シンクは、通常、ユーザに見えているので、ユーザはシンクのモードを迅速に決定でき、必要があれば措置を講じることができるからである。例えば、起動要求生成器は、遠隔制御活動を検出するように、又は電源スイッチのオンへの動作をユーザがソース及びシンクをスタンバイ・モードから切り替えたいという指示として検出するように構成されてもよい。従って、起動要求生成器は、適切な指示を検出すると、起動要求を生成するよう構成されてもよい。
【００１２】
起動要求生成器は第２のチャネルのシンク端に接続され、第２のチャネルのソース端はソース予備制御部に接続される。スタンバイ・モードへ切り替えられたとき、ソース予備制御部は、起動要求について第２のチャネルを監視する。
【００１３】
本発明の方法はシンク及びソースのスタンバイ・モードへの切り替えを同期させるので、ユーザは、シンクがスタンバイ・モードのときソースもスタンバイ・モードであると確信しうる。ソース予備制御部、シンク予備制御部及び起動要求生成器しかスタンバイ・モード中に電力を供給される必要がないので、ソース及びシンクの全電力使用は低減される。
【００１４】
この方法は、マルチメディア・ソースとマルチメディア・シンクとの間で実施されてもよく、同時に依然としてＤｉｓｐｌａｙＰｏｒｔ規格に準拠している。ＤｉｓｐｌａｙＰｏｒｔ規格のインタフェースは動作モードのときに機能し、シンクとソースとの間の標準的なケーブル接続は不変である。
【００１５】
本発明の実施形態によると、スタンバイ・モードへ切り替える方法が提供される。前記送信器及び受信器は、前記動作モードのとき、前記ソース（１００）による前記シンクの活線挿抜の検出のための前記第２のチャネルを介して接続される。当該方法は、スタンバイ・モードに入る要求の検出に応答して、前記ソース予備制御部が、前記送信器を前記スタンバイ・モードに切り替えることにより、前記活線挿抜の検出を無効にする段階；を更に有する。
【００１６】
活線挿抜の検出はＤｉｓｐｌａｙＰｏｒｔ規格の一部を形成し、通常その目的のために提供される接続は、動作モードのときにＤｉｓｐｌａｙＰｏｒｔ機能に影響を与えることなく本発明の第２のチャネルに利用されてもよい。
【００１７】
本発明の実施形態によると、スタンバイ・モードへ切り替える方法が提供される。前記ソース予備制御部は及びシンク予備制御部は、前記ソースから前記シンクへの前記スタンバイ・コマンドの通信のために、前記第１のチャネルを介して直接的に接続される。
【００１８】
直接的な接続は、予備制御部が第１のチャネルに直接に接続されることを意味する。接続は送信器又は受信器を介して継続しない。これは、送信器及び受信器が動作モードになることなく、第１のチャネルが使用されうるので、スタンバイ・モードへの切り替えのときに更なる柔軟性を提供する。従って、送信器は、第１のチャネルにスタンバイ・コマンドが生成される直前に又はそれと共に停止されてもよい。
【００１９】
本発明の実施形態によると、スタンバイ・モードへ切り替える方法が提供される。前記第１のチャネルは、ＡＣ結合された差動対として構成された第１及び第２の線を有し、前記ソース予備制御部は、前記第１の線のＤＣレベルを変化させることにより、前記スタンバイ・コマンドを生成するよう構成され、−前記シンク予備制御部は、前記第１の線の前記ＤＣレベルの変化を前記スタンバイ・コマンドとして検出するよう構成される。
【００２０】
ソース予備制御部及びシンク予備制御部が直接に接続されるとき、ＤＣレベルを用いたコマンドの生成及び検出は、ＤｉｓｐｌａｙＰｏｒｔ規格に如何なる変更も必要ないことを意味する。通常動作中に双方向通信のためにＡＣ結合された差動線を用いることは、ソース及びシンクの追加構成により影響されない。
【００２１】
本発明の更なる実施形態によると、スタンバイ・モードへ切り替える方法が提供される。前記第２のチャネルは、如何なる起動要求も前記起動要求生成器により生成されないとき、前記スタンバイ・モードでロー論理状態を伝達するように構成され、及び前記起動要求生成器は、前記第２のチャネルを介してハイ論理状態をアサートすることにより、前記スタンバイ・モードで前記起動要求を生成するように構成される。
【００２２】
これは、ソース及びシンクの構成が動作モードのときにソース及びシンクの動作に影響を与えず、ＤｉｓｐｌａｙＰｏｒｔ規格に準拠させることを意味する。
【００２３】
本発明の実施形態によると、スタンバイ・モードへ切り替える方法が提供される。前記マルチメディア・シンクと前記マルチメディア・ソースとの間の接続は、電源線を更に有し；前記ルチメディア・ソースは、前記スタンバイ・モードのとき前記ソース予備制御部に電力を供給し及び前記電源線を介して電力を供給するよう構成された電源を更に有し；前記マルチメディア・シンクは、前記スタンバイ・モードで前記電源線から前記起動要求生成器へ及び前記シンクの予備制御部へ電力を供給するよう構成される。
【００２４】
これは、スタンバイ・モードのときに、電力自体を提供することにより、ソースにソース及びシンクにより使用される電力を制御させる。
【００２５】
本発明の更に別の実施形態によると、スタンバイ・モードへ切り替える方法が提供される。前記マルチメディア・シンクは電源スイッチを有し、前記マルチメディア・シンクは、該電源スイッチがオフにされたとき、スタンバイ・モードに入る要求を生成するよう構成される。  これは、ユーザがシンクへの電力をオフに切り替えることにより、ソースがスタンバイ・モードへ切り替えられるので、エンド・ユーザにかなりの柔軟性を提供する。これは、ソースが見えない又は到達困難であるときに特に有用である。
【００２６】
本発明の更なる実施形態によると、スタンバイ・モードへ切り替える方法が提供される。前記シンクの前記起動要求生成器は、ユーザ活動検出器を有し、前記起動要求の生成を有効にする段階は、該ユーザ活動検出器の出力を前記第２のチャネルに結合する段階を有する。
【００２７】
通常、シンク装置は、遠隔制御信号を検出することによる又はユーザのオン／オフ切り替えの活動を検出することによるような、ユーザ活動の検出に便利な場所に置かれる。これは、ソースが戸棚の中に隠れているようなときには、ソースに常に当てはまらない。シンクを介して起動信号生成を提供することにより、システムの使い勝手が向上する。
【００２８】
本発明の第２の態様によると、マルチメディア・ソース及びマルチメディア・シンクをスタンバイ・モードから動作モードへ切り替える方法が提供される。前記マルチメディア・ソースは、送信器及び該記送信器に接続されたソース予備制御部を有し；前記マルチメディア・シンクは、起動要求生成器、受信器及び該受信器と該起動要求生成器に接続されたシンク予備制御部を有し；前記送信器及び前記受信器は、前記動作モードのとき、双方向通信のための第１のチャネルを介して接続され；前記ソース予備制御部及び前記起動要求生成器は、スタンバイ・モードのとき、前記ソース予備制御部により起動要求を検出するための第２のチャネルを介して接続される。当該方法は：−起動要求の検出に応答して、前記ソース予備制御部が：−前記送信器を動作モードに切り替えることにより、前記双方向通信のソース側を有効にする段階；及び−前記第２のチャネルを介して、前記ソース予備制御部による前記起動要求の検出を無効にする段階；−前記起動の検出に応答して、前記シンク予備制御部が：−前記受信器を前記動作モードに切り替えることにより、前記双方向通信のシンク側を有効にする段階；及び−前記起動要求生成器による前記起動要求の生成を無効にする段階；を有する。
【００２９】
起動要求がシンクの起動要求生成器により生成されるとき、予備制御部はこれを検出し、送信器をスタンバイ・モードから切り替え、通常動作機能のソース側を復帰させる。また、シンク予備制御部は、シンクにより生成された起動要求を検出し、受信器をスタンバイ・モードから切り替え、通常動作機能のシンク側を復帰させる。スタンバイ・モードのときに要求される機能、つまり第２のチャネルを介した起動要求の生成と検出は無効にされる。
【００３０】
シンクは、スタンバイ・モードからの切り替えを制御し、ソース及びシンクの両方で同時に動作モードが復帰されるようにする。シンクは、システムを起動する最も便利な方法を提供する。何故なら、シンクは、通常、ユーザに見えているので、ユーザはシンクのモードを迅速に決定でき、必要があれば措置を講じることができるからである。本発明の方法はシンク及びソースのスタンバイ・モードからの切り替えを同期させるので、ユーザは、シンクが動作モードのときソースも動作モードであると確信しうる。
【００３１】
シンクの起動要求生成器によりシステムをスタンバイ・モードから切り替えさせるという柔軟性を残していながら、送信器及び受信器モジュールをスタンバイ・モードにするので、電力消費の低減が達成される。
【００３２】
この方法は、マルチメディア・ソースとマルチメディア・シンクとの間で実施されてもよく、同時に依然としてＤｉｓｐｌａｙＰｏｒｔ規格に準拠している。ＤｉｓｐｌａｙＰｏｒｔ規格のインタフェースは動作モードのときに機能し、シンクとソースとの間の標準的なケーブル接続は本発明の実施によっても不変である。
【００３３】
本発明の実施形態によると、スタンバイ・モードから切り替える方法が提供される。前記送信器及び受信器は、前記動作モードのとき、前記ソースによる前記シンクの活線挿抜の検出のための前記第２のチャネルを介して接続される。当該方法は、起動要求の検出に応答して、前記ソース予備制御部が、前記受信器を前記動作モードに切り替えることにより、前記活線挿抜の検出を有効にする段階；を更に有する。
【００３４】
活線挿抜の検出はＤｉｓｐｌａｙＰｏｒｔ規格の一部を形成し、通常その目的のために提供される接続は、動作モードのときにＤｉｓｐｌａｙＰｏｒｔ機能に影響を与えることなく本発明の第２のチャネルに利用されてもよい。
【００３５】
本発明の実施形態によると、スタンバイ・モードから切り替える方法が提供される。前記ソース予備制御部は及びシンク予備制御部は、前記ソースから前記シンクへの前記起動コマンドの通信のために、前記第１のチャネルを介して直接的に接続され；前記シンク予備制御部は、前記起動要求の代わりに前記起動コマンドの検出に応答して動作する。当該方法は、前記起動要求の検出に応答して、前記ソース予備制御部が、前記第１のチャネルに起動コマンドを生成する段階を更に有する。
【００３６】
直接的な接続は、予備制御部が第１のチャネルに直接に接続されることを意味する。接続は送信器又は受信器を介して行われない。これは、送信器及び受信器がスタンバイ・モードのまま、第１のチャネルが使用されうるので、スタンバイへの切り替え手順に更なる柔軟性を提供する。従って、スタンバイ・モードからの切り替えは、第１のチャネルを介して起動コマンドを生成することによりシンク予備制御部を指示するソース予備制御部により制御される。本実施形態では、起動要求はソース又はシンクで検出されてもよい。
【００３７】
本発明の実施形態によると、スタンバイ・モードから切り替える方法が提供される。前記第１のチャネルは、ＡＣ結合された差動対として構成された第１及び第２の線を有し、前記ソース予備制御部は、前記第１の線のＤＣレベルを変化させることにより、前記起動コマンドを生成するよう構成され、前記シンク予備制御部は、前記第１の線の前記ＤＣレベルの変化を前記起動コマンドとして検出するよう構成される。
【００３８】
ソース予備制御部及びシンク予備制御部が直接に接続されるとき、ＤＣレベルを用いたコマンドの生成及び検出は、ＤｉｓｐｌａｙＰｏｒｔ規格に如何なる変更も必要ないことを意味する。通常動作中に双方向通信のためにＡＣ結合された差動線を用いることは、ソース及びシンクの追加構成により影響されない。
【００３９】
本発明の更に別の実施形態によると、スタンバイ・モードから切り替える方法が提供される。前記マルチメディア・シンクは電源スイッチを更に有し、前記起動要求生成器は、該電源スイッチがオンにされたとき、起動要求を生成するよう構成される。これは、シンクの電源スイッチが通常容易に手に届くので、ユーザに利便性を提供する。
【００４０】
本発明の更なる実施形態によると、スタンバイ・モードから切り替える方法が提供される。前記起動要求生成器は、ユーザ活動検出器を更に有し、前記起動要求の生成を無効にする段階は、該ユーザ活動検出器の出力を前記第２のチャネルに結合する段階を有する。
【００４１】
通常、シンク装置は、遠隔制御信号を検出することによる又はユーザのオン／オフ切り替えの活動を検出することによるような、ユーザ活動の検出に便利な場所に置かれる。これは、ソースが戸棚の中に隠れているようなときには、ソースに常に当てはまらない。シンクを介して起動信号生成を提供することにより、システムの使い勝手が向上する。
【００４２】
本発明の更なる実施形態によると、スタンバイ・モードから切り替える方法が提供される。前記ユーザ活動検出器は、遠隔制御検出器と電源スイッチ活動検出器とを有する。当該方法は：−前記起動要求生成器を、前記マルチメディア・シンクが遠隔制御検出器の活動を検出したとき、第１の起動要求を生成するよう構成する段階；−前記起動要求生成器を、前記マルチメディア・シンクが電源スイッチの活動を検出したとき、第２の起動要求を生成するよう構成する段階；−前記予備制御部を、前記第１及び第２の起動要求を区別するように構成する段階；を有する。
【００４３】
活動の種類を区別できることは、起動手順を変化させる。例えば、電源スイッチの活動が検出された場合、ソース予備制御部は、電源がオフになっていることにより情報が失われた場合には、主制御部にシンクへ追加データを送信するように指示してもよい。
【００４４】
本発明の更なる態様によると、マルチメディア・ソースが提供される。当該マルチメディア・ソースは：送信器と、該送信器に接続されたソース予備制御部と、を有し；前記送信器は、動作モードのときのマルチメディア・シンクとの双方向通信のための第１のチャネルとのインタフェースを有し；前記ソース予備制御部は、スタンバイ・モードのときの前記マルチメディア・シンクによる起動要求の検出のための第２のチャネルとのインタフェースを有し；前記ソース予備制御部は：−前記動作モードのときにスタンバイ・モードに入る要求を検出し、−前記動作モードのときに前記第１のチャネルにスタンバイ・コマンドを生成し、−前記送信器を前記スタンバイ・モードに切り替えることにより、前記双方向通信のソース側を無効にし、−スタンバイ・モードのときに前記第２のチャネルを介した前記起動要求の監視を有効にする、よう構成される。
【００４５】
本発明の更なる態様によると、マルチメディア・シンクが提供される。当該マルチメディア・シンクは：起動要求生成器と、受信器と、該受信器及び該起動要求生成器に接続されたシンク予備制御部と、を有し；前記受信器は、動作モードのときマルチメディア・ソースと双方向通信するための第１のチャネルとのインタフェースを有し；前記起動要求生成器は、スタンバイ・モードのとき前記マルチメディア・ソースへ起動要求を送信するための第２のチャネルとのインタフェースを有し；前記シンク予備制御部は：−前記動作モードのときに前記第１のチャネルを介してスタンバイ・コマンドを検出し、−前記動作モードのときに前記受信器を前記スタンバイ・モードに切り替えることにより、前記双方向通信のシンク側を無効にし、−スタンバイ・モードのときに前記第２のチャネルを介して前記起動要求生成器による前記起動要求の生成を有効にする。
【００４６】
本発明のこれら及び他の態様は、以下に記載される実施例から、及びそれらを参照し説明されることにより明らかに説明される。
【図面の簡単な説明】
【００４７】
【図１】マルチメディア・ソースとマルチメディア・シンクとの間のＤｉｓｐｌａｙＰｏｒｔ規格を用いたインタフェースの例を示す。
【図２】本発明による、マルチメディア・ソースとマルチメディア・シンクとの間のＤｉｓｐｌａｙＰｏｒｔ規格を用いたインタフェースの例を示す。
【図３】ＤｉｓｐｌａｙＰｏｒｔ規格及び本発明の方法に従い動作するよう構成された、マルチメディア・ソースとマルチメディア・シンクの第２の実施形態を示す。
【図４】図３に示されたマルチメディア・ソースの更なる詳細を示す。
【図５】図３に示されたマルチメディア・シンクの更なる詳細を示す。
【図６】ＤｉｓｐｌａｙＰｏｒｔ規格及び本発明の方法に従い動作するよう構成された、マルチメディア・ソースとマルチメディア・シンクの更なる実施形態を示す。
【図７】本発明による、スタンバイから切り替える方法を示す。
【図８】本発明による、スタンバイへ切り替える方法を示す。  図面は単に説明のためであり必ずしも縮尺通りではない。特に明確性のため、幾つかの寸法は大きく強調されている。図中の同様の要素は、可能な限り同一の参照符号により示される。
【発明を実施するための形態】
【００４８】
図２は、本発明の第１の実施形態による、ソース及びシンクのスタンバイ・モードの同期を可能にする、マルチメディア・ソースとマルチメディア・シンクとの間のＤｉｓｐｌａｙＰｏｒｔ規格を用いたインタフェースの例を示す。留意すべき点は、送信器（１１０）及び受信器（２１０）への主要リンク接続が示されないことである。マルチメディア・ソース（１００）は、送信器（１１０）、主制御部（１２０）及び予備制御部（１６０）を有する。送信器（１１０）は、リンク管理及びシンク装置（２００）制御のために、第１のチャネルである補助チャネル（３２１，３２２）に接続される。補助チャネルは、自己クロック・データを伝送する１つの差動対（３２１、３２２）を有する。送信器（１１０）は、シンク装置により生成された割り込み要求（ＩＲＱ）を受信する第２のチャネルであるＨＰＤ線（３３０）にも接続される。主制御部（１２０）は、送信器（１１０）へのデータ経路により接続され、ＩＲＱ要求を受信する。また、主制御部（１２０）は、補助チャネル（３２１、３２２）を介してシンクへ送信される情報を送信器（１１０）に供給する。予備制御部（１６０）は、主制御部（１２０）へのデータ経路により接続されるので、主制御部（１２０）及び送信器（１１０）のスタンバイ・モードが制御されうる。
【００４９】
シンク（２００）は、受信器（２１０）、ディスプレイ制御部（２２０）、電源スイッチ（４２０）及びＩＲ（赤外線）リモコン信号検出器（４１０）を有する。受信器（２１０）は補助チャネル（３２１，３２２）に接続される。留意すべき点は、送信器（１１０）と受信器（２１０）との間には差があるが、これら両方のモジュールは送信及び受信を行ってもよいことである。ソースが補助トランザクションを開始するマスタであり、シンク（２００）がソース（１００）により開始されたトランザクションに応答するスレーブなので、この補助通信チャネルのために名称が選択されたのである。受信器（２１０）は、ソース（１００）への割り込み要求（ＩＲＱ）を生成するために、ＨＰＤ線（３３０）にも接続される。ディスプレイ制御部（２２０）は、送信器（２１０）へのデータ経路により接続され、ＩＲＱ要求を受信し、ソース（１００）からトランザクションの要求を受信し、それらの要求に応答して補助チャネル（３２１、３２２）を介してソースへ返送される情報を受信器（１１０）に供給する。ディスプレイ制御部（２２０）は、電源スイッチ（４２０）の出力及びＩＲ（赤外線）リモコン信号検出器（４１０）に接続される。ディスプレイ制御部（２２０）は、シンクを動作モードからスタンバイ・モードへ及びスタンバイ・モードから動作モードへ切り替える動作を実行するよう構成される。
【００５０】
動作中、ソース（１００）及びシンク（２００）の全ての構成要素は通常通り起動され、電源スイッチ（４２０）はオンに設定される。遠隔制御符号の形式のユーザ相互作用は、ディスプレイ制御部（２２０）によりＩＲ検出器（４１０）で受信され、受信器（２１０）へ渡され、補助チャネル（３２１、３２２）を介して送信される。これらの符号は、送信器（１１０）により受信され、処理のために主制御部（１２０）に渡される。更に、ソース（１００）のコマンドは、送信器（１００）に渡され、補助チャネル（３２１、３２２）を介して送信される。これらのソース（１００）コマンドは、シンク装置（２００）内の受信器（２１０）により受信され、更なる処理のためにディスプレイ制御部（２２０）に渡される。
【００５１】
スタンバイ・モードに入るために、特定のコマンドが与えられてよい。特定のコマンドは、ＩＲ検出器（４１０）により検出される、リモコンからの適切な「スタンバイ（ＳＴＡＮＤＢＹ）」の「オフ（ＯＦＦ）」コードであってもよく、又はユーザが電源スイッチ（４２０）をオフに設定することであってもよい。これらの両方の場合で、ディスプレイ制御部（２２０）は、ユーザ活動検出器（４１０、４２０）の適切な出力を検出し、補助チャネル（３２１、３２２）を介してソース（１００）へ情報を送信する。或いは、シンク（２００）は、不活動の所定期間が終了したことを検出してよく、補助チャネル（３２１、３２２）を介してソース（１００）へ情報を送信する。ソース（１００）はスタンバイ・モードに入るこの要求を受信し、次に主制御部（１２０）はソース及びシンクをスタンバイ・モードに切り替えることを決定してもよい。主制御部（１２０）は、ソース（１００）の構成要素を節電モードに切り替えるための適切な動作（示されない）を行うように及び補助チャネル（３２１、３２２）を介してシンク（２００）へブロードキャストするように、予備制御部（１６０）にコマンドを発行することによりこれを行う。次に、ディスプレイ制御部（２２０）は、ディスプレイのようなシンク（２００）の構成要素を節電モードに切り替えるための適切な動作を行ってもよい。
【００５２】
或いは、ディスプレイ制御部（２２０）は、不活動が決定されたとき、シンク（２００）の構成要素を節電モードに切り替えるための適切な動作を直ちに行うように構成され、次に補助チャネル（３２１、３２２）を介してソース（１００）へ情報を送信するように構成されてもよい。この場合には、予備制御部がスタンバイ・コマンドを生成するとき、主制御部（１２０）はもはや補助チャネル（３２１、３２２）を介してシンクへ信号を送信する必要がない。
【００５３】
留意すべき点は、ソース（１００）がシンク（２００）と同様に、特定の不活動期間が終了したことを検出するよう、特定のコマンドを検出するよう、又は電源スイッチのオフの起動を検出するように構成されてもよいこと、スタンバイ・モードに入る要求がソース（１００）により生成されてもよいことである。
【００５４】
図２のソース（１００）及びシンク（２００）は、活動が再開したとき、スタンバイ・モードから切り替えるように構成される。これは、例えば、電源スイッチ（４２０）をオンに切り替え、ＩＲ検出器（４１０）を用いてリモコンからの適切な「オン」信号を検出し、又はＩＲ検出器（４１０）を用いて遠隔制御信号を検出することであってもよい。
【００５５】
電源スイッチ（４２０）をオンに切り替える場合には、ディスプレイ制御部（２２０）はこれを検出し、受信器（２１０）を用いＨＰＤ線（３３０）を介してシンク装置（２００）の活線挿抜（Ｈｏｔ  Ｐｌｕｇｇｉｎｇ）事象の形式で起動要求を生成する。ソースの予備制御部（１６０）は、主制御部（１２０）を介してこれを受信し、次に主制御部（１２０）にソース（１００）の構成要素を節電モードから出すよう切り替えるために、及び補助チャネル（３２１、３２２）を介してシンク（２００）へ起動コマンドをブロードキャストするために、適切な動作（示されない）を行うよう起動コマンドを生成することを決定してもよい。次に、ディスプレイ制御部（２２０）は、ディスプレイのようなシンク（２００）の構成要素を節電モードから出すように切り替えるための適切な動作を行ってもよい。
【００５６】
或いは、ディスプレイ制御部（２２０）は、不活動が決定されたとき、シンク（２００）の構成要素を節電モードから出すように切り替えるための適切な動作を直ちに行うように構成され、次に補助チャネル（３２１、３２２）を介してソース（１００）へ情報を送信するように構成されてもよい。この場合には、予備制御部が起動コマンドを生成するとき、主制御部（１２０）はもはや補助チャネル（３２１、３２２）を介してシンクへ信号を送信する必要がない。
【００５７】
リモコンからの「オン」コードが検出された場合、ディスプレイ制御部（２２０）は、ＩＲ検出器（４１０）の適切な出力を検出し、受信器（２１０）を用いて補助チャネル（３２１、３２２）を介してソース（１００）へ情報を送信する。予備制御部（１６０）は、主制御部（１２０）により起動要求を知らされ、次に起動コマンドを発行することを決定してもよい。
【００５８】
留意すべき点は、ソース（１００）は、活動の再開を検出するよう、又は特定のコマンドを検出するように構成されてもよく、それによりスタンバイ・モードを離れる要求又は起動要求がソース（１００）により生成されてもよい。本発明の上述の第１の実施形態は、ソース（１００）とシンク（２００）のスタンバイ・モードを高度に同期させるので、電力消費の節約の程度はソース（１００）とシンク（２００）の両方が可能な限り確実にスタンバイ・モードであるようにすることにより最適化されうる。全体の電力使用の節約が実現されるが、送信器（１１０）及び受信器（２１０）がスタンバイ・モードに切り替えられることはできない。それらは、シンク（２００）からの起こり得る起動要求を検出し、ソース（１００）からシンク（２００）へ起動コマンドを送信する必要がある。
【００５９】
主要リンクを介した通信のようなスタンバイ・モード中に必要とされない機能（示されない）を無効にするように送信器（１１０）及び受信器（２１０）を構成することにより、より多くの電力が節約されうる。ＤｉｓｐｌａｙＰｏｒｔ規格は、受信器（２１０）をシンク装置により部分的に「節電」状態にする。この動作モードでは、受信器（２１０）は、補助チャネルを介した要求のトランザクションに応答することなく、差動信号入力の存在を検出するだけでよい。差動信号入力の存在を検出すると、シンク（２００）は「節電」状態を終了することを決定してもよい。しかしながら、これは、依然として送信器（１１０）が完全な電力を供給されていることを必要とし、ソース（１００）及びシンク（２００）の両方に対する起動要求がシンク（２００）により生成されることはできない。
【００６０】
図３は、ＤｉｓｐｌａｙＰｏｒｔ規格及び本発明の方法に従い動作するよう構成された、マルチメディア・ソース（１００）とマルチメディア・シンク（２００）の第２の実施形態を示す。図４は、図３に示されたマルチメディア・ソースの更なる詳細を示す。図５は図３に示されたマルチメディア・シンクの更なる詳細を示す。図３の実施形態は、以下に説明される相違点を除いて、図２の実施形態と同様である。
【００６１】
予備制御部（１６０）は、ＨＰＤ線（３３０）に接続され、ＨＰＤ信号を受信し割り込む。予備制御部（１６０）は、補助チャネル（３２１、３２２）のうちの１本の線（３２１）にも接続される。予備制御部（１６０）が差動対（３２１、３２２）のどちらに接続されてもよいことは、当業者に明らかである。補助線（３２１）への接続は、補助制御部（１６０）が補助線（３２１）のＤＣレベルを変化しうるように較正される。これは、送信器（１１０）により実行できない。何故なら、ＤｉｓｐｌａｙＰｏｒｔ規格によると、補助チャネル（３２１、３２２）の線はＡＣ結合されているからである。これを行う１つの方法は、補助線（３２１）への接続をＡＣ結合の点、例えばキャパシタ（１６２）、及びソース（１００）のインタフェース線（３２１）への外部接続に置くことである。
【００６２】
シンク（２００）は、出力選択器（２７０）を更に有する。出力選択器（２７０）は、切り替え部（２７１）、及び切り替え部（２７１）のための選択器制御部（２７２）を有する。切り替え部は、ＨＰＤ線（３３０）及びユーザ活動検出器（４２０、４１０）の両方に接続されるので、起動されたときにユーザ活動検出器（４２０、４２１）の出力がＨＰＤ線（３３０）に接続される。選択器制御部（２７２）は、予備制御部（１６０）と同じ補助線（３２１）に接続される。該接続は、選択器制御部（２７２）が補助線（３２１）のＤＣレベルを検出しうるように構成される。これを行う１つの方法は、補助線（３２１）への接続をＡＣ結合の点、例えばキャパシタ（２７３）、及びシンク（２００）のインタフェース線（３２１）への外部接続に置くことである。更に、ディスプレイ制御部（２２０）は、予備制御部（１６０）と同じ補助線（３２１）に接続される。該接続は、ディスプレイ制御部（２２０）が補助線（３２１）のＤＣレベルを検出しうるように構成される。
【００６３】
図３、４、５の実施形態の動作は、図７及び８に示される。図８は、本発明による、スタンバイ・モードへ切り替える方法（８００）を示す。ソース（１００）及びシンク（２００）の両方は、最初は動作モードである（８１０）、つまりスタンバイ・モードではない。この動作モード中、ソース（１００）及びシンク（２００）の全ての構成要素は通常通り起動され、電源スイッチ（４２０）はオンに設定される。予備制御部（１６０）は、スタンバイ・モードに入る要求を検出する（８２０）。該要求は、ソース（１００）又はシンク（２００）から到来してもよい。この要求に応答して、予備制御部（１６０）は、送信器をスタンバイ・モードに切り替え（８４０）、予備制御部の接続されている補助線（３２１）にスタンバイ・コマンドを生成する（８３０）。補助線（３２１）への追加の接続により、予備制御部（１６０）は、補助線（３２１）を介してコマンドを送信するために送信器に電力を供給する必要がないので、送信器をスタンバイ・モードに切り替えること及びスタンバイ・コマンドを生成すること（８３０）は如何なる順序で又は同時に実行されてもよい。本発明による送信器（１１０）のスタンバイ・モードは、送信器（１１０）が動作モードに相当するモードで補助チャネル（３２１、３２２）を介してシンク（２００）ともはや通信できないことを意味する。これは、スタンバイ・モード中に他の機能を維持することが望ましい場合には、スタンバイ・モードでは、送信器（１１０）の電源を完全に切ること又は部分的に電源を切ることが可能であることを意味する。
【００６４】
次に、予備制御部（１６０）は、シンク（２００）からの更なる起動要求について、ＨＰＤ線（３３０）の監視ができるようにする（８５０）。ディスプレイ制御部（２２０）は、スタンバイ・モードを検出し、応答して受信器（２１０）をスタンバイ・モードに切り替える（８６０）。本発明による受信器（２１０）のスタンバイ・モードは、受信器（１１０）が動作モードに相当するモードで補助チャネル（３２１、３２２）を介してソース（１００）ともはや通信できないことを意味する。これは、スタンバイ・モード中に他の機能を維持することが望ましい場合には、スタンバイ・モードでは、受信器（２１０）の電源を完全に切ること又は部分的に電源を切ることが可能であることを意味する。
【００６５】
選択器制御部（２７２）は、スタンバイ・コマンドを検出し、応答して切り替え部（２７１）を切り替え、ユーザ活動検出器（４１０、４２０）の出力をＨＰＤ線（３３０）に結合する（８７０）。
【００６６】
次に、ソース（１００）及びシンク（２００）の両方は、スタンバイ・モードになる（８８０）。
【００６７】
送信器（１１０）をスタンバイ・モードに直接的に切り替え（８８０）、受信器（２１０）をスタンバイ・モードに間接的に切り替える（８８０）ことにより、予備制御部（１６０）は、補助チャネル（３２１、３２２）を介した送信器（１１０）と受信器（２１０）との間の双方向通信を無効にする。
【００６８】
通常動作中（８１０）、ＨＰＤ線（３３０）は、ＤｉｓｐｌａｙＰｏｒｔ規格で定められた動作モード中にＩＲＱ割り込み及び活線挿抜事象を検出するために、送信器（１１０）により用いられる。スタンバイ・モードへ切り替える方法（８００）を実行した後に（８８０）、予備制御部（１６０）は、シンク（２００）による活線挿抜事象を検出するため及びシンク（２００）からの起動要求を検出するために用いられる。
【００６９】
従って、本発明は、送信器（１１０）及び受信器（２１０）が電源を切られるスタンバイ・モードを提供し、電力消費を低減するが、依然として遠隔制御活動を検出するＩＲ検出器（４２０）からを含むソース（１００）又はシンク（２００）の何れかからの起動要求を受信する最大の柔軟性を許容する。図７は、本発明による、スタンバイ・モード（７１０）から切り替える方法（７００）を示す。ソース（１００）及びシンク（２００）の両方は、最初はスタンバイ・モード（７１０）である、つまり動作モードではない。このスタンバイ・モード中（７１０）、送信器（１１０）及び受信器（２１０）は電源が切れている。
【００７０】
予備制御部（１６０）は、起動要求を検出する（７２０）。該要求は、ソース（１００）又はシンク（２００）から到来してもよい。この要求に応答して、予備制御部（１６０）は、予備制御部の接続されている補助線（３２１）に起動コマンドを生成する（７３０）。予備制御部（１６０）は、送信器（１１０）をスタンバイ・モードに切り替え、起動要求についてのＨＰＤ線（３３０）の監視を無効にする（７５０）。
【００７１】
ディスプレイ制御部（２２０）は、起動コマンドを検出し、応答して受信器（２１０）をスタンバイ・モードから切り替える（７６０）。
【００７２】
選択器制御部（２７２）は、起動コマンドを検出し、応答して切り替え部（２７１）を切り替え、ユーザ活動検出器（４１０、４２０）の出力をＨＰＤ線（３３０）から切り離す（７７０）。
【００７３】
次に、ソース（１００）及びシンク（２００）の両方は、動作モードになる（７８０）。
【００７４】
送信器（１１０）をスタンバイ・モードから直接的に切り替え（７１０）、受信器（２１０）をスタンバイ・モードから間接的に切り替える（７１０）ことにより、予備制御部（１６０）は、補助チャネル（３２１、３２２）を介した送信器（１１０）と受信器（２１０）との間の双方向通信を有効にする。スタンバイ・モード（７１０）では、ＨＰＤ線（３３０）は、シンク（２００）による活線挿抜事象を検出するため及びシンク（２００）からの起動要求を検出するために予備制御部（１６０）により用いられる。スタンバイ・モードから切り替える方法（７００）を実行した後に、予備制御部（１６０）は、シンク（２００）による活線挿抜事象にもはや反応しない。この動作モードでは（７８０）、ＩＲＱ割り込み及び活線挿抜事象は、ＤｉｓｐｌａｙＰｏｒｔ規格で定められた動作モード中に、送信器（１１０）により検出される。
【００７５】
ソース（１００）及びシンク（２００）は、スタンバイ・モードの特定の構成要素及びモジュールに電力を供給するように構成された電源を更に有する。例えば、電源は、従来の３Ｖ３スタンバイ電源であってもよい。これは、構成要素及びモジュールが比較的低電力で動作するように構成されうるので、スタンバイ・モード中の電力消費の更なる制御を可能にする。例えば、ソース（１００）は、予備制御部（１６０）に接続されスタンバイ・モード中に予備制御部（１６０）に電力を供給するように構成されたソース・スタンバイ電源（１４０）を有してもよい。シンク（２００）は、ディスプレイ制御部（２２０）とユーザ活動検出器（４１０、４２０）とに接続され、シンク（２００）がスタンバイ・モードのときに制御部（２２０）と検出器（４２０、４１０）とに電力を供給するように構成されたシンク・スタンバイ電源（２４０）を有してもよい。
【００７６】
図６は、本発明の第３の実施形態を示す。第３の実施形態は、シンク（２００）がスタンバイ電源（２４０）を有さないことを除いて第２の実施形態と同じである。ソース（１００）及びシンク（２００）は、スタンバイ・モード中に電源線（３４０）を介して、ソース・スタンバイ電源（１４０）をディスプレイ制御部（２２０）とユーザ活動検出器（４１０、４２０）とに接続するように更に構成される。電源線（３４０）は、ソース（１００）とシンク（２００）との間のインタフェースに含まれ、ＤｉｓｐｌａｙＰｏｒｔ規格に準拠する。
【００７７】
利点は、ソース（１００）が、スタンバイ・モード中にシンク（２００）におけるワット損に対して更なる制御を与えられることである。或いは、本発明の第３の実施形態は、ソース（１００）がスタンバイ電源（１４０）を有さないように適応されてもよい。ソース（１００）及びシンク（２００）は、スタンバイ・モード中に電源線（３４０）を介して、シンク・スタンバイ電源（２４０）を予備制御部（１６０）に接続するように更に構成される。
【００７８】
共通のスタンバイ電源の一般的な利点は、スタンバイ・モード中の電力消費が更に予測可能であることである。この予測可能性は、システム又は装置を電力消費要件及び法規に準拠するよう構成するときに屡々重要である。ＤｉｓｐｌａｙＰｏｒｔ規格との互換性は、如何なる起動要求もマルチメディア・シンク（２００）により生成されないスタンバイ・モード中に第２のチャネル（３３０）がロー（ｌｏｗ）論理状態を伝達するように構成することにより、及びマルチメディア・シンク（２００）が第２のチャネル（３３０）を介してハイ（ｈｉｇｈ）論理状態をアサートすることによりスタンバイ・モード中に起動要求を生成するように構成することにより、維持される。起動要求を生成するために、検出された活動の種類、例えばオン／オフ切り替え（４１０）の起動又は遠隔制御活動のＩＲ検出器（４２０）による検出を区別することは有利である。これは、起動要求がＨＰＤ線（３３０）を介してシンク（２００）により生成される期間を測定することにより行われてもよい。標準的にはオン／オフ切り替え（４２０）の起動により開始される期間は、ＩＲ検出器（４１０）により開始される期間よりも有意に長いだろう。
【００７９】
スタンバイ・モード中の予備制御部（１６０）がＩＲ検出器（４２０）から受信した遠隔制御符号を区別するように構成し、特定の起動要求が検出されたときのみ、特定の遠隔制御符号に対応する起動コマンドが生成されるようにすること、又は起動動作が受信した遠隔制御符号に依存して異なることは有利である。しかしながら、ＨＰＤ線（３３０）は、遠隔制御符号の信頼性の高い送信に適さない。これは、予備制御部（１６０）が、如何なる遠隔制御信号が検出されたときも送信器（１００）及び受信器（２００）を起動するように構成することにより解決されうる。補助チャネル（３２１、３２２）は、遠隔制御符号をソース（１００）へ高信頼に送信するために用いられてもよい。留意すべき点は、以上に説明された実施例が本発明を制限するものではないこと、及び当業者が特許請求の範囲から逸脱することなく、多くの代替の実施例を考案可能なことである。
【００８０】
例えば、実施形態は、主制御部（１２０）及び予備制御部（１６０）を有するソースを参照する。本実施形態では、主制御部（１２０）は主要アプリケーションを有し、予備制御部（１６０）は電源断シーケンス及び起動シーケンスの実行のみ責任がある。本発明の状況で実行される動作は何れかの制御部（１２０、１６０）に割り当てられること、及び単一の制御部のみが主制御部（１２０）及び予備制御部（１６０）の機能のために用いられることが可能であることが当業者に明らかだろう。
【００８１】
実施形態は、単一のディスプレイ制御部（２２０）を有するシンク（２００）を記載した。しかし、シンク（２００）は、ディスプレイ制御部、及び本発明の方法（７００、８００）を実行するときにシンク（２００）により要求される動作を実行するよう構成されたシンク予備制御部を有してもよい。専用の予備制御部は、動作の限られた選択肢を実行することしか要求されないので、つまり予備制御部の複雑性は低く保たれるので、ソース（１００）又はシンク（２００）にとって有利である。低複雑性は少数の能動素子を用いて実施されるので、これは、スタンバイ・モード中に一層低い電力消費を提供しうる。
【００８２】
本発明の方法は、１又は複数のプログラムにプログラム・コードとして符号化されてもよい。従って、方法は、これらのプログラムが１又は複数のプロセッサで実行されるときに実行される。プログラム・コードは、コンピュータ可読媒体に格納されてもよく、コンピュータ・プログラムに含まれてもよい。
【００８３】
請求項では、括弧内の如何なる参照符号も、請求項を制限すると見なされるべきではない。「有する」の表現及びその活用の使用は、請求項に記載された以外の構成要素又は段階の存在を排除するものではない。要素に付される単数表記の語は、当該要素の複数の存在を排除するものではない。本発明は、複数の異なる素子を有するハードウェアの手段により実施されて良い。複数の手段を列挙した装置の請求項では、これら複数の手段は、１つ及び同一のハードウェア要素により実施され得る。特定の手段が相互に異なる従属請求項で引用されることは、これら手段の組み合わせが効果的に利用できないことを示すものではない。
【００８４】
纏めると、本発明は、マルチメディア・ソースとマルチメディア・シンクをスタンバイ・モードへ切り替える方法、及びマルチメディア・ソースとマルチメディア・シンクをスタンバイ・モードから切り替える方法に関する。コンシューマ装置が２つの分散したボックス、例えばディスプレイ（マルチメディア・シンク）が処理部（マルチメディア・ソース）からケーブルを介して分離しているＴＶを有するとき、スタンバイ・モードのグリーン・ルールを満たすことは、一層複雑である。処理部及びディスプレイ部の電力消費は、スタンバイ・モードでは最小限であるべきである。
【００８５】
本発明の方法は、両ユニットの電力状態を同期させ、関連部分のみがアクティブのままにされるようにする。方法は、セットトップボックスのようなマルチメディア・ソースとディスプレイのようなマルチメディア・シンクとの間ＤｉｓｐｌａｙＰｏｒｔリンクが用いられる較正に適用可能である。
【００８６】
本発明は、ＤｉｓｐｌａｙＰｏｒｔ構成及び動作規格に準拠しながら全体の電力消費を低減する。本発明の実施形態では、ソース及びシンクは、補助チャネルの送信器及び受信器が電源を切られたときに、スタンバイ及び起動要求／コマンドの通信を可能にするよう構成される。
【００８７】
本発明は、ソースのスタンバイへの切り替え及びソースのスタンバイからの切り替えが該ソースとのユーザの相互作用により開始される実施形態も提供する。これは、ソースが屡々見えなくなるので、便利である。また、これは、ユーザがソースのモードを監視及び制御する必要がなくなるので、つまりユーザは主に見えているシンクのモードを単に監視及び制御できるので、電力消費の低減の向上に貢献する。
【図１】
2011521600.tif 000003
【図２】
2011521600.tif 000004
【図３】
2011521600.tif 000005
【図４】
2011521600.tif 000006
【図５】
2011521600.tif 000007
【図６】
2011521600.tif 000008
【図７】
2011521600.tif 000009
【図８】
2011521600.tif 000010
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
マルチメディア・ソース及びマルチメディア・シンクを動作モードからスタンバイ・モードへ切り替える方法であって：
−前記マルチメディア・ソースは、送信器及び該記送信器に接続されたソース予備制御部を有し；
−前記マルチメディア・シンクは、起動要求生成器、受信器及び該受信器と該起動要求生成器に接続されたシンク予備制御部を有し；
−前記送信器及び前記受信器は、前記動作モードのとき、双方向通信のための第１のチャネルを介して接続され；
−前記送信器及び受信器は、前記動作モードのとき、前記ソースによる前記シンクの活線挿抜の検出のための第２のチャネルを介して接続され；
−前記ソース予備制御部及び前記起動要求生成器は、スタンバイ・モードのとき、前記ソース予備制御部により起動要求を検出するための前記第２のチャネルを介して接続され；
当該方法は：
スタンバイ・モードに入る要求の検出に応答して、前記ソース予備制御部が：
−前記第１のチャネルにスタンバイ・コマンドを生成する段階；
−前記送信器を前記スタンバイ・モードに切り替えることにより、前記双方向通信の前記ソース側を無効にし及び前記活線挿抜の検出を無効にする段階；及び
−前記第２のチャネルを介して、前記ソース予備制御部による前記起動要求の監視を有効にする段階；
前記スタンバイ・コマンドの検出に応答して、前記シンク予備制御部が：
−前記受信器を前記スタンバイ・モードに切り替えることにより、前記双方向通信の前記シンク側を無効にする段階；及び
−前記第２のチャネルを介して、前記起動要求生成器による前記起動要求の生成を有効にする段階；
を有する方法。
【請求項２】
前記ソース予備制御部は及びシンク予備制御部は、前記ソースから前記シンクへの前記スタンバイ・コマンドの通信のために、前記第１のチャネルを介して直接的に接続される、
ことを特徴とする請求項１に記載の方法。
【請求項３】
−前記第１のチャネルは、ＡＣ結合された差動対として構成された第１及び第２の線を有し、
−前記ソース予備制御部は、前記第１の線のＤＣレベルを変化させることにより、前記スタンバイ・コマンドを生成するよう構成され、
−前記シンク予備制御部は、前記第１の線の前記ＤＣレベルの変化を前記スタンバイ・コマンドとして検出するよう構成される、
ことを特徴とする請求項２に記載の方法。
【請求項４】
前記第２のチャネルは、如何なる起動要求も前記起動要求生成器により生成されないとき、前記スタンバイ・モードでロー論理状態を伝達するように構成され、及び
前記起動要求生成器は、前記第２のチャネルを介してハイ論理状態をアサートすることにより、前記スタンバイ・モードで前記起動要求を生成するように構成される、
ことを特徴とする請求項１に記載の方法。
【請求項５】
−前記マルチメディア・シンクと前記マルチメディア・ソースとの間の接続は、電源線を更に有し；
−前記ルチメディア・ソースは、前記スタンバイ・モードで前記ソース予備制御部に電力を供給し及び前記電源線を介して電力を供給するよう構成された電源を更に有し；
−前記マルチメディア・シンクは、前記スタンバイ・モードで前記電源線から前記起動要求生成器へ及び前記シンク予備制御部へ電力を供給するよう構成される；
ことを特徴とする請求項１に記載の方法。
【請求項６】
前記マルチメディア・シンクは、電源スイッチを有し、
前記マルチメディア・シンクは、該電源スイッチがオフにされたとき、スタンバイ・モードに入る要求を生成するよう構成される、
ことを特徴とする請求項１に記載の方法。
【請求項７】
前記起動要求生成器は、ユーザ活動検出器を有し、
前記起動要求の生成を有効にする段階は、該ユーザ活動検出器の出力を前記第２のチャネルに結合する段階を有する、
ことを特徴とする請求項１に記載の方法。
【請求項８】
マルチメディア・ソース及びマルチメディア・シンクをスタンバイ・モードから動作モードへ切り替える方法であって：
−前記マルチメディア・ソースは、送信器及び該記送信器に接続されたソース予備制御部を有し；
−前記マルチメディア・シンクは、起動要求生成器、受信器及び該受信器と該起動要求生成器に接続されたシンク予備制御部を有し；
−前記送信器及び前記受信器は、前記動作モードのとき、双方向通信のための第１のチャネルを介して接続され；
−前記送信器及び受信器は、前記動作モードのとき、前記ソースによる前記シンクの活線挿抜の検出のための第２のチャネルを介して接続され；
−前記ソース予備制御部及び前記起動要求生成器は、前記スタンバイ・モードのとき、前記ソース予備制御部により起動要求を検出するための前記第２のチャネルを介して接続され；
当該方法は：
−起動要求の検出に応答して、前記ソース予備制御部が：
−前記送信器を前記動作モードに切り替えることにより、前記双方向通信のソース側を有効にする段階；
−前記第２のチャネルを介した前記ソース予備制御部による前記起動要求の検出を無効にする段階；
−前記受信器を前記動作モードに切り替えることにより、前記活線挿抜の検出を有効にする段階；
−前記起動要求の検出に応答して、前記シンク予備制御部が：
−前記受信器を前記動作モードに切り替えることにより、前記双方向通信のシンク側を有効にする段階；
−前記起動要求生成器による前記起動要求の生成を無効にする段階；
を有する方法。
【請求項９】
−前記ソース予備制御部は及びシンク予備制御部は、前記ソースから前記シンクへの前記起動コマンドの通信のために、前記第１のチャネルを介して直接的に接続され；
−前記シンク予備制御部は、前記起動要求の代わりに前記起動コマンドの検出に応答して動作し；
−前記起動要求の検出に応答して、前記ソース予備制御部は、前記第１のチャネルに起動コマンドを生成する；
ことを特徴とする請求項８に記載の方法。
【請求項１０】
−前記第１のチャネルは、ＡＣ結合された差動対として構成された第１及び第２の線を有し、
−前記ソース予備制御部は、前記第１の線のＤＣレベルを変化させることにより、前記起動コマンドを生成するよう構成され、
−前記シンク予備制御部は、前記第１の線の前記ＤＣレベルの変化を前記起動コマンドとして検出するよう構成される、
ことを特徴とする請求項９に記載の方法。
【請求項１１】
前記マルチメディア・シンクは、電源スイッチを更に有し、
前記起動要求生成器は、該電源スイッチがオンにされたとき、前記起動要求を生成するよう構成される、
ことを特徴とする請求項８に記載の方法。
【請求項１２】
前記起動要求生成器は、ユーザ活動検出器を有し、
前記起動要求の生成を無効にする段階は、該ユーザ活動検出器の出力を前記第２のチャネルに結合する段階を有する、
ことを特徴とする請求項８に記載の方法。
【請求項１３】
前記ユーザ活動検出器は、遠隔制御検出器と電源スイッチ活動検出器とを有し、
当該方法は：
−前記起動要求生成器を、前記マルチメディア・シンクが遠隔制御検出器の活動を検出したとき、第１の起動要求を生成するよう構成する段階；
−前記起動要求生成器を、前記マルチメディア・シンクが電源スイッチの活動を検出したとき、第２の起動要求を生成するよう構成する段階；
−前記予備制御部を、前記第１及び第２の起動要求を区別するように構成する段階；
を有する請求項１２に記載の方法。
【請求項１４】
マルチメディア・ソースであって：
−送信器と、該送信器に接続されたソース予備制御部と、
を有し；
−前記送信器は、動作モードのときのマルチメディア・シンクとの双方向通信のための第１のチャネルとのインタフェースを有し；
前記ソース予備制御部は、スタンバイ・モードのときの前記マルチメディア・シンクによる起動要求の検出のため及び前記動作モードのときの前記ソースによる前記シンクの活線挿抜の検出のための第２のチャネルとのインタフェースを有し；
−前記ソース予備制御部は：
−前記動作モードのときにスタンバイ・モードに入る要求を検出し、
−前記動作モードのときに前記第１のチャネルにスタンバイ・コマンドを生成し、
−前記送信器を前記スタンバイ・モードに切り替えることにより、前記双方向通信のソース側を無効にし及び前記活線挿抜の検出を無効にし、
−スタンバイ・モードのときに前記第２のチャネルを介した前記起動要求の監視を有効にする、
よう構成される、
ことを特徴とするマルチメディア・ソース。
【請求項１５】
マルチメディア・シンクであって：
−起動要求生成器と、受信器と、該受信器及び該起動要求生成器に接続されたシンク予備制御部と、
を有し；
−前記受信器は、動作モードのときマルチメディア・ソースと双方向通信するための第１のチャネルとのインタフェースを有し；
−前記起動要求生成器は、スタンバイ・モードのとき前記マルチメディア・ソースへ起動要求を送信するため及び前記動作モードのときに前記ソースによる前記シンク活線挿抜の検出のための第２のチャネルとのインタフェースを有し；
−前記シンク予備制御部は：
−前記動作モードのときに前記第１のチャネルを介してスタンバイ・コマンドを検出し、
−前記動作モードのときに前記受信器を前記スタンバイ・モードに切り替えることにより、前記双方向通信のシンク側を無効にし、
−スタンバイ・モードのときに前記第２のチャネルを介して前記起動要求生成器による前記起動要求の生成を有効にし、
−前記受信器を前記動作モードに切り替えることにより、前記活線挿抜の検出を有効にする、
よう構成される、
ことを特徴とするマルチメディア・シンク。
【国際調査報告】
2011521600.tif 000011
2011521600.tif 000012
2011521600.tif 000013